(57)【要約】 【課題】  より簡単な操作で電話発信を行うことができる電話発信システム、携帯電話機、情報配信サーバおよび電話発信方法を提供する。【解決手段】  ユーザが、着信側携帯電話機１０２の電子メールアドレスを入力し、発信側携帯電話機１０１に対して電話発信操作を行うと、入力された電子メールアドレスが情報配信サーバ１０３に送信される。情報配信サーバ１０３は、受信した電子メールアドレスと関連付けられて記憶されている着信側携帯電話機１０２の電話番号を、データベース記憶装置１０４から読み出し、これを暗号化して発信側携帯電話機１０１に送信する。発信側携帯電話機１０１は、暗号化された着信側携帯電話機１０２の電話番号を解読し、着信側携帯電話機１０２に発信を行う。【選択図】      図１
2005277953.tif 000002
【特許請求の範囲】
【請求項１】
電話番号および電子メールアドレスが予め設定され、移動通信網を介して相手先の携帯電話機と電話通信を行う携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムであって、
携帯電話機は、
相手先の携帯電話機に設定された電子メールアドレスを入力する入力手段と、
入力された電子メールアドレスを含む相手先アドレス情報を情報配信サーバに送信する端末側送信手段と、
情報配信サーバから、相手先の携帯電話機に設定された電話番号を含む相手先番号情報を受信する端末側受信手段と、
相手先番号情報に含まれる電話番号を用いて相手先の携帯電話機に電話発信を行う発信手段とを備え、
情報配信サーバは、
携帯電話機から、相手先アドレス情報を受信するサーバ側受信手段と、
データベース記憶装置に記憶される関連情報から、受信した相手先アドレス情報に含まれる電子メールアドレスに関連付けられた電話番号を検索する検索手段と、
検索によって取得した電話番号を、相手先の携帯電話機に設定された電話番号として前記相手先番号情報を前記携帯電話機に送信するサーバ側送信手段とを備えることを特徴とする電話発信システム。
【請求項２】
情報配信サーバは、
検索によって取得した電話番号を暗号化する暗号化手段を有し、
携帯電話機は、
暗号化された電話番号を復号化する復号化手段を有し、
サーバ側送信手段は、暗号化された電話番号を含む相手先番号情報を送信し、
端末側受信手段は、暗号化された電話番号を含む相手先番号情報を受信し、
発信手段は、復号化手段によって復号化された電話番号を用いて相手先の携帯電話機に電話発信を行うことを特徴とする請求項１記載の電話発信システム。
【請求項３】
電話番号および電子メールアドレスが予め設定され、移動通信網を介して相手先の携帯電話機と電話通信を行う携帯電話機と、
移動通信網を介して携帯電話機と通信を行い、携帯電話機から、相手先アドレス情報を受信するサーバ側受信手段と、データベース記憶装置に記憶される関連情報から、受信した相手先アドレス情報に含まれる電子メールアドレスに関連付けられた電話番号を検索する検索手段と、検索によって取得した電話番号を、相手先の携帯電話機に設定された電話番号として前記相手先番号情報を前記携帯電話機に送信するサーバ側送信手段とを備える情報配信サーバと、
携帯電話機に設定された電子メールアドレスと電話番号とが関連付けられた関連情報を記憶するデータベース記憶装置とを有する電話発信システムを構成する携帯電話機であって、
相手先の携帯電話機に設定された電子メールアドレスを入力する入力手段と、
入力された電子メールアドレスを含む相手先アドレス情報を情報配信サーバに送信する端末側送信手段と、
情報配信サーバから、相手先の携帯電話機に設定された電話番号を含む相手先番号情報を受信する端末側受信手段と、
相手先番号情報に含まれる電話番号を用いて相手先の携帯電話機に電話発信を行う発信手段とを備えることを特徴とする携帯電話機。
【請求項４】
電話番号および電子メールアドレスが予め設定され、移動通信網を介して相手先の携帯電話機と電話通信を行い、相手先の携帯電話機に設定された電子メールアドレスを入力する入力手段と、入力された電子メールアドレスを含む相手先アドレス情報を情報配信サーバに送信する端末側送信手段と、情報配信サーバから、相手先の携帯電話機に設定された電話番号を含む相手先番号情報を受信する端末側受信手段と、相手先番号情報に含まれる電話番号を用いて相手先の携帯電話機に電話発信を行う発信手段とを備える携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムを構成する情報配信サーバであって、
携帯電話機から、相手先アドレス情報を受信するサーバ側受信手段と、
データベース記憶装置に記憶される関連情報から、受信した相手先アドレス情報に含まれる電子メールアドレスに関連付けられた電話番号を検索する検索手段と、
検索によって取得した電話番号を、相手先の携帯電話機に設定された電話番号として前記相手先番号情報を前記携帯電話機に送信するサーバ側送信手段とを備えることを特徴とする情報配信サーバ。
【請求項５】
電話番号および電子メールアドレスが予め設定され、移動通信網を介して相手先の携帯電話機と電話通信を行う携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムによる電話発信方法であって、
携帯電話機の端末側送信手段が、相手先の携帯電話機に設定された電子メールアドレスを含む相手先アドレス情報を情報配信サーバに送信するステップと、
情報配信サーバのサーバ側受信手段が、携帯電話機から、相手先アドレス情報を受信するステップと、
情報配信サーバの検索手段が、データベース記憶装置に記憶される関連情報から、受信した相手先アドレス情報に含まれる電子メールアドレスに関連付けられた電話番号を検索するステップと、
情報配信サーバのサーバ側送信手段が、相手先の携帯電話機に設定された電話番号として検索によって取得した電話番号を含む相手先番号情報を前記携帯電話機に送信するステップと、
携帯電話機の端末側受信手段が、情報配信サーバから、前記相手先番号情報を受信するステップと、
携帯電話機の発信手段が、相手先番号情報に含まれる電話番号を用いて相手先の携帯電話機に電話発信を行うステップとを有することを特徴とする電話発信方法。
【発明の詳細な説明】
【技術分野】
【０００１】
本発明は、電話番号および電子メールアドレスが予め設定された携帯電話機から、相手先の携帯電話機に電話通信を行うための電話発信システムに関し、電話発信システムを構成する携帯電話機および情報配信サーバならびに電話発信方法に関する。
【背景技術】
【０００２】
携帯電話機は、相手先の人名または名称と、電話番号および電子メールアドレスとを関連付けて記憶する機能、いわゆるアドレス帳機能を備えており、ユーザはアドレス帳に記憶されている電話番号または電子メールアドレスを選択することで、電話発信または電子メール送信を簡単な操作で行うことができる。
【０００３】
電話番号および電子メールアドレスを携帯電話機に記憶させるためには、ユーザが数字およびアルファベットを入力する必要があり、操作が煩雑である。入力操作を容易にするために、特許文献１記載の情報処理装置は、データベースに記憶されている個人情報をキーワードで検索し、所望の個人情報を受信してアドレス帳に登録することを可能としている。特許文献２記載の電話番号情報及び電子メールアドレス情報提供システムは、携帯端末機器からの問い合わせ電子メールに応じて、データベースから検索された電話番号及び電子メールアドレス情報を携帯端末機器へ発信することを可能としている。
【０００４】
さらに、特許文献３記載の電子メール連動ボタン電話装置は、表示手段に表示されたメールアドレスまたは電話番号を指定すると、メールアドレスに対応した電話番号または電話番号に対応したメールアドレスを記憶手段から読み出して出力する。
【０００５】
【特許文献１】特開２００１−５８３２号公報
【特許文献２】特開２００２−２７８８８５号公報
【特許文献３】特開２００２−３２５１２８号公報
【発明の開示】
【発明が解決しようとする課題】
【０００６】
特許文献３記載の電子メール連動ボタン電話装置は、メールアドレスから電話発信を行ったり、電話番号から電子メール送信を行うことで利便性が向上しているが、メールアドレスと電話番号とが関連付けて電話装置に記憶されている必要がある。メールアドレスと電話番号とは、特許文献１記載の情報処理装置および特許文献２記載のシステムなどを利用して記憶することが可能であるが、記憶するためには、データベースを検索する必要があり、キーワードの入力操作、検索結果の選択および登録操作などを行う必要がある。
【０００７】
本発明の目的は、より簡単な操作で電話発信を行うことができる電話発信システム、携帯電話機、情報配信サーバおよび電話発信方法を提供することである。
【課題を解決するための手段】
【０００８】
本発明は、電話番号および電子メールアドレスが予め設定され、移動通信網を介して相手先の携帯電話機と電話通信を行う携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムであって、
携帯電話機は、
相手先の携帯電話機に設定された電子メールアドレスを入力する入力手段と、
入力された電子メールアドレスを含む相手先アドレス情報を情報配信サーバに送信する端末側送信手段と、
情報配信サーバから、相手先の携帯電話機に設定された電話番号を含む相手先番号情報を受信する端末側受信手段と、
相手先番号情報に含まれる電話番号を用いて相手先の携帯電話機に電話発信を行う発信手段とを備え、
情報配信サーバは、
携帯電話機から、相手先アドレス情報を受信するサーバ側受信手段と、
データベース記憶装置に記憶される関連情報から、受信した相手先アドレス情報に含まれる電子メールアドレスに関連付けられた電話番号を検索する検索手段と、
検索によって取得した電話番号を、相手先の携帯電話機に設定された電話番号として前記相手先番号情報を前記携帯電話機に送信するサーバ側送信手段とを備えることを特徴とする電話発信システムである。
【０００９】
また本発明は、情報配信サーバは、
検索によって取得した電話番号を暗号化する暗号化手段を有し、
携帯電話機は、
暗号化された電話番号を復号化する復号化手段を有し、
サーバ側送信手段は、暗号化された電話番号を含む相手先番号情報を送信し、
端末側受信手段は、暗号化された電話番号を含む相手先番号情報を受信し、
発信手段は、復号化手段によって復号化された電話番号を用いて相手先の携帯電話機に電話発信を行うことを特徴とする請求項１記載の電話発信システム。
【００１０】
また本発明は、電話番号および電子メールアドレスが予め設定され、移動通信網を介して相手先の携帯電話機と電話通信を行う携帯電話機と、
移動通信網を介して携帯電話機と通信を行い、携帯電話機から、相手先アドレス情報を受信するサーバ側受信手段と、データベース記憶装置に記憶される関連情報から、受信した相手先アドレス情報に含まれる電子メールアドレスに関連付けられた電話番号を検索する検索手段と、検索によって取得した電話番号を、相手先の携帯電話機に設定された電話番号として前記相手先番号情報を前記携帯電話機に送信するサーバ側送信手段とを備える情報配信サーバと、
携帯電話機に設定された電子メールアドレスと電話番号とが関連付けられた関連情報を記憶するデータベース記憶装置とを有する電話発信システムを構成する携帯電話機であって、
相手先の携帯電話機に設定された電子メールアドレスを入力する入力手段と、
入力された電子メールアドレスを含む相手先アドレス情報を情報配信サーバに送信する端末側送信手段と、
情報配信サーバから、相手先の携帯電話機に設定された電話番号を含む相手先番号情報を受信する端末側受信手段と、
相手先番号情報に含まれる電話番号を用いて相手先の携帯電話機に電話発信を行う発信手段とを備えることを特徴とする携帯電話機である。
【００１１】
また本発明は、電話番号および電子メールアドレスが予め設定され、移動通信網を介して相手先の携帯電話機と電話通信を行い、相手先の携帯電話機に設定された電子メールアドレスを入力する入力手段と、入力された電子メールアドレスを含む相手先アドレス情報を情報配信サーバに送信する端末側送信手段と、情報配信サーバから、相手先の携帯電話機に設定された電話番号を含む相手先番号情報を受信する端末側受信手段と、相手先番号情報に含まれる電話番号を用いて相手先の携帯電話機に電話発信を行う発信手段とを備える携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムを構成する情報配信サーバであって、
携帯電話機から、相手先アドレス情報を受信するサーバ側受信手段と、
データベース記憶装置に記憶される関連情報から、受信した相手先アドレス情報に含まれる電子メールアドレスに関連付けられた電話番号を検索する検索手段と、
検索によって取得した電話番号を、相手先の携帯電話機に設定された電話番号として前記相手先番号情報を前記携帯電話機に送信するサーバ側送信手段とを備えることを特徴とする情報配信サーバである。
【００１２】
また本発明は、電話番号および電子メールアドレスが予め設定され、移動通信網を介して相手先の携帯電話機と電話通信を行う携帯電話機と、
移動通信網を介して携帯電話機と通信を行う情報配信サーバと、
携帯電話機に設定された電子メールアドレスと電話番号とが関連付けられた関連情報を記憶するデータベース記憶装置とを有する電話発信システムによる電話発信方法であって、
携帯電話機の端末側送信手段が、相手先の携帯電話機に設定された電子メールアドレスを含む相手先アドレス情報を情報配信サーバに送信するステップと、
情報配信サーバのサーバ側受信手段が、携帯電話機から、相手先アドレス情報を受信するステップと、
情報配信サーバの検索手段が、データベース記憶装置に記憶される関連情報から、受信した相手先アドレス情報に含まれる電子メールアドレスに関連付けられた電話番号を検索するステップと、
情報配信サーバのサーバ側送信手段が、相手先の携帯電話機に設定された電話番号として検索によって取得した電話番号を含む相手先番号情報を前記携帯電話機に送信するステップと、
携帯電話機の端末側受信手段が、情報配信サーバから、前記相手先番号情報を受信するステップと、
携帯電話機の発信手段が、相手先番号情報に含まれる電話番号を用いて相手先の携帯電話機に電話発信を行うステップとを有することを特徴とする電話発信方法である。
【発明の効果】
【００１３】
本発明によれば、電話番号および電子メールアドレスが予め設定され、移動通信網を介して相手先の携帯電話機と電話通信を行う携帯電話機と、移動通信網を介して携帯電話機と通信を行う情報配信サーバと、携帯電話機に設定された電子メールアドレスと電話番号とが関連付けられた関連情報を記憶するデータベース記憶装置とを有する電話発信システムである。
【００１４】
ユーザが入力手段を操作することで、相手先の携帯電話機に設定された電子メールアドレスが入力されると、端末側送信手段が、相手先の携帯電話機に設定された電子メールアドレスを含む相手先アドレス情報を情報配信サーバに送信する。
【００１５】
サーバ側受信手段が、携帯電話機から、相手先アドレス情報を受信すると、検索手段は、データベース記憶装置に記憶される関連情報から、受信した相手先アドレス情報に含まれる電子メールアドレスに関連付けられた電話番号を検索する。サーバ側送信手段は、相手先の携帯電話機に設定された電話番号として検索によって取得した電話番号を含む相手先番号情報を前記携帯電話機に送信する。
【００１６】
端末側受信手段は、情報配信サーバから、前記相手先番号情報を受信し、発信手段は、相手先番号情報に含まれる電話番号を用いて相手先の携帯電話機に電話発信を行う。
【００１７】
これにより、本システムを利用することで、相手先の携帯電話機に設定された電話番号が不明であっても、携帯電話機に電子メールアドレスを入力するだけでよく、より簡単な操作で電話発信を行うことができる。
【００１８】
また本発明によれば、暗号化手段が、検索によって取得した電話番号を暗号化し、サーバ側送信手段は、暗号化された電話番号を含む相手先番号情報を送信する。端末側受信手段は、暗号化された電話番号を含む相手先番号情報を受信し、復号化手段が、暗号化された電話番号を復号化する。発信手段は、復号化手段によって復号化された電話番号を用いて相手先の携帯電話機に電話発信を行う。
【００１９】
情報配信サーバから、暗号化された電話番号が送信されるので、本システムにおける通信のセキュリティが向上する。
【００２０】
また本発明によれば、電話発信システムを構成する携帯電話機である。
ユーザが入力手段を操作することで、相手先の携帯電話機に設定された電子メールアドレスが入力されると、端末側送信手段が、相手先の携帯電話機に設定された電子メールアドレスを含む相手先アドレス情報を情報配信サーバに送信する。
【００２１】
サーバ側受信手段が、携帯電話機から、相手先アドレス情報を受信すると、検索手段は、データベース記憶装置に記憶される関連情報から、受信した相手先アドレス情報に含まれる電子メールアドレスに関連付けられた電話番号を検索する。サーバ側送信手段は、相手先の携帯電話機に設定された電話番号として検索によって取得した電話番号を含む相手先番号情報を前記携帯電話機に送信する。
【００２２】
端末側受信手段は、情報配信サーバから、前記相手先番号情報を受信し、発信手段は、相手先番号情報に含まれる電話番号を用いて相手先の携帯電話機に電話発信を行う。
【００２３】
これにより、本携帯電話機を利用することで、相手先の携帯電話機に設定された電話番号が不明であっても、電子メールアドレスを入力するだけでよく、より簡単な操作で電話発信を行うことができる。
【００２４】
また本発明によれば、電話発信システムを構成する情報配信サーバである。
ユーザが入力手段を操作することで、相手先の携帯電話機に設定された電子メールアドレスが入力されると、端末側送信手段が、相手先の携帯電話機に設定された電子メールアドレスを含む相手先アドレス情報を情報配信サーバに送信する。
【００２５】
サーバ側受信手段が、携帯電話機から、相手先アドレス情報を受信すると、検索手段は、データベース記憶装置に記憶される関連情報から、受信した相手先アドレス情報に含まれる電子メールアドレスに関連付けられた電話番号を検索する。サーバ側送信手段は、相手先の携帯電話機に設定された電話番号として検索によって取得した電話番号を含む相手先番号情報を前記携帯電話機に送信する。
【００２６】
端末側受信手段は、情報配信サーバから、前記相手先番号情報を受信し、発信手段は、相手先番号情報に含まれる電話番号を用いて相手先の携帯電話機に電話発信を行う。
【００２７】
これにより、本情報配信サーバを利用することで、相手先の携帯電話機に設定された電話番号が不明であっても、携帯電話機に電子メールアドレスを入力するだけでよく、より簡単な操作で電話発信を行うことができる。
【００２８】
また本発明は、電話発信システムによる電話発信方法である。
携帯電話機の端末側送信手段が、入力された相手先の携帯電話機に設定された電子メールアドレスを含む相手先アドレス情報を情報配信サーバに送信すると、情報配信サーバのサーバ側受信手段が、携帯電話機から、相手先アドレス情報を受信する。
【００２９】
情報配信サーバの検索手段は、データベース記憶装置に記憶される関連情報から、受信した相手先アドレス情報に含まれる電子メールアドレスに関連付けられた電話番号を検索し、情報配信サーバのサーバ側送信手段が、相手先の携帯電話機に設定された電話番号として検索によって取得した電話番号を含む相手先番号情報を前記携帯電話機に送信する。
【００３０】
携帯電話機の端末側受信手段が、情報配信サーバから、前記相手先番号情報を受信すると、携帯電話機の発信手段は、相手先番号情報に含まれる電話番号を用いて相手先の携帯電話機に電話発信を行う。
【００３１】
本発信方法を行うことで、相手先の携帯電話機に設定された電話番号が不明であっても、携帯電話機に電子メールアドレスを入力するだけでよく、より簡単な操作で電話発信を行うことができる。
【発明を実施するための最良の形態】
【００３２】
以下、本発明の実施形態を図面に基づいて説明する。
図１は、本発明の実施の一形態である電話発信システム１００の概略図である。電話発信システム１００は、携帯電話機１０１，１０２、情報配信サーバ１０３、データベース記憶装置１０４を含んで構成される。ここで、移動通信網１０５は、携帯電話機１０１，１０２と無線通信を行う基地局および交換機などを含み、携帯電話機同士の電話通信および携帯電話機と情報配信サーバとのデータ通信を行うための通信網である。また、携帯電話機１０１は、電話発信を行う側の携帯電話機（以下では「発信側携帯電話機」と呼ぶ）であり、携帯電話機１０２は、相手先の携帯電話機（以下では「着信側携帯電話機」と呼ぶ）である。
【００３３】
まず、電話発信システム１００の電話発信処理について簡単に説明する。
ユーザが、着信側携帯電話機１０２の電子メールアドレスを入力し、発信側携帯電話機１０１に対して電話発信操作を行うと、入力された電子メールアドレスが情報配信サーバ１０３に送信される。情報配信サーバ１０３は、受信した電子メールアドレスと関連付けられて記憶されている着信側携帯電話機１０２の電話番号を、データベース記憶装置１０４から読み出し、これを暗号化して発信側携帯電話機１０１に送信する。発信側携帯電話機１０１は、暗号化された着信側携帯電話機１０２の電話番号を解読し、着信側携帯電話機１０２に発信を行う。
【００３４】
発信側携帯電話機１０１から情報配信サーバ１０３への着信側携帯電話機１０２の電子メールアドレス送信、および情報配信サーバ１０３から発信側携帯電話機１０１への着信側携帯電話機１０２の電話番号送信は、発信側携帯電話機１０１と情報配信サーバ１０３との電子メールの送受信によって行う。
【００３５】
図２は、発信側携帯電話機１０１の構成を示すブロック図である。発信側携帯電話機１０１と着信側携帯電話機１０２との構成は同様であるので、ここでは、発信側携帯電話機１０１について説明し、着信側携帯電話機１０２については説明を省略する。
【００３６】
発信側携帯電話機１０１は、端末制御部１、無線制御部２、アンテナ３、音声処理制御部４、プログラムデータ記憶部５、無線制御データ記憶部６、ユーザデータ記憶部７、キー操作部８、表示部９、スピーカ１０およびマイク１１を含んで構成される。
【００３７】
端末制御部１は、ＣＰＵ（中央演算処理装置）などで実現され、プログラムデータ記憶部５に記憶されている各プログラムに基づいて電子メール送受信および電話通信を含む発信側携帯電話機１０１全体の動作を制御する。無線制御部２は、移動通信網１０５に含まれる基地局などと通信を行う際に、無線通信可能な信号に変調し、アンテナ３を介して発信する。また、アンテナ３を介して受信した信号を携帯電話機で使用できるように復調する。音声処理制御部４は、マイク１１から入力されるアナログ信号をデジタル信号に変換し、そのデジタル信号をコード化して端末制御部１へ出力する。また音声処理制御部４は、端末制御部１から入力されたデジタル信号をアナログ信号に変換し、スピーカ１０へ出力する。
【００３８】
プログラムデータ記憶部５は、制御プログラム、電話帳プログラム、電子メール送受信プログラム、電話通信プログラム、アドレス発信プログラム、暗号解読プログラムなど発信側携帯電話機１０１が行う処理に関するプログラムを記憶する。無線制御データ記憶部６は、無線通信を行う際に必要な各パラメータを記憶する。ユーザデータ記憶部７は、相手先の電話番号、電子メールアドレスなどと相手先名称などとを関連付けた、いわゆる電話帳データを記憶する。
【００３９】
キー操作部８は、数字、アルファベット、記号などが割り当てられたダイヤルキー、電話発信、メニュープログラム起動など各機能が割り当てられたファンクションキー、各プログラム起動時に項目の選択、決定を行うためのカーソルキーおよび決定キーなどを備える入力手段である。ユーザは、キー操作部８の各キーを押すことで、電話通信、電子メール送受信などを行うことができる。
【００４０】
表示部９は、液晶表示装置などで実現され、メニュー画面、各プログラム画面などが表示される。ユーザは、表示部９に表示される画像を見て発信側携帯電話機１０１の操作を行う。
【００４１】
ここで、端末側送信手段、端末側受信手段および発信手段は、端末制御部１、無線制御部２、プログラムデータ記憶部５（電子メール送受信プログラム、電話通信プログラム、アドレス発信プログラム）、無線制御データ記憶部６から構成される。復号化手段は、端末制御部１、プログラムデータ記憶部５（暗号解読プログラム）から構成される。
【００４２】
図３は、情報配信サーバ１０３の構成を示すブロック図である。情報配信サーバ１０３は、サーバ制御部２１、ＲＯＭ（リードオンリメモリ）２２、ＲＡＭ（ランダムアクセスメモリ）２３、記憶部２４、通信インターフェイス２５およびデータベースインターフェイス２６を含んで構成される。
【００４３】
サーバ制御部２１は、ＣＰＵなどで実現され、ＲＯＭ２２が記憶する制御プログラムに基づいて情報配信サーバ１０３全体の動作を制御する。ＲＡＭ２３は、情報配信サーバ１０３動作時に必要な演算値などを一時的に記憶する。記憶部２４は、電子メール送受信プログラム、検索プログラム、暗号化プログラム、認証プログラムなど情報配信サーバ１０３が行う処理に関するプログラムおよび後述の認証テーブルなどを記憶する。通信インターフェイス２５は、イーサネット（登録商標）ケーブル、光ファイバケーブルなどの各種通信ケーブルを介して移動通信網に接続することで、発信側携帯電話機１０１と電子メールの送受信を行う。データベースインターフェイス２６は、各種通信ケーブルを介してデータベース記憶装置１０４に接続することで、データベース記憶装置１０４から、電子メールアドレスに関連付けられた電話番号を取得する。
【００４４】
ここで、サーバ側送信手段およびサーバ側受信手段は、サーバ制御部２１、ＲＯＭ２２、ＲＡＭ２３、記憶部２４（電子メール送受信プログラム）および通信インターフェイス２５から構成される。検索手段は、サーバ制御部２１、ＲＯＭ２２、ＲＡＭ２３、記憶部２４（検索プログラム）およびデータベースインターフェイス２６から構成される。暗号化手段は、サーバ制御部２１、ＲＯＭ２２、ＲＡＭ２３および記憶部２４（暗号化プログラム）から構成される。
【００４５】
発信側携帯電話機１０１から電話発信を行うときの操作手順について説明する。
電話発信を行う手順としては主に２種類あり、第１の手順は、従来通り相手先の電話番号も用いて発信を行う手順であり、第２の手順は、本発明の特徴である相手先の電子メールアドレスを用いて発信を行う手順である。
【００４６】
第１の手順では、ユーザがダイヤルキーを押して相手先の電話番号を入力したのち、電話発信キーを押す、またはメニュー画面などから電話帳プログラムを起動して電話帳データから相手先の電話番号を表示させたのち、決定キーを押すことにより、電話発信プログラムによって所望の相手先に電話発信を行うことができる。
【００４７】
従来の携帯電話機において電子メールの入力操作を行う場合、主に電子メール送受信プログラムを起動させ、所定の入力欄に相手先の電子メールアドレスを入力するか、電話帳データから相手先の電子メールアドレスを表示させて決定キーを押すかいずれかの操作を行う。しかし、このような操作を行った場合、電子メールの送受信しか行えず、電話発信することはできない。
【００４８】
本発明では、第２の手順として、電子メールアドレスを用いて電話発信を行うことを可能とするために、詳細は後述するが、アドレス発信プログラムに基づいて電話発信を行うアドレス発信処理を行う。アドレス発信プログラムは、ユーザが所定の起動操作を行った場合に起動する。所定の操作は、第２の手順における操作であり、たとえば、メニュー画面などからアドレス発信プログラムの起動を指示する、電話帳データから相手先の電子メールアドレスを表示させて電話発信キーを押すなどである。このような操作が行われると、アドレス発信プログラムが起動する。なお、メニュー画面から起動を指示した場合は、相手先の電子メールアドレスの入力画面が表示され、ユーザはダイヤルキーを押して電子メールアドレスを入力したのち、電話発信キーを押す。
【００４９】
次にアドレス発信プログラムによるアドレス発信処理について説明する。
図４は、発信側携帯電話機１０１によるアドレス発信処理を示すフローチャートである。上記のような操作によってアドレス発信プログラムが起動されるとともに、相手先の電子メールアドレスが入力されると処理を開始する。
【００５０】
ステップＳ１では、端末制御部１が、プログラムデータ記憶部５に記憶されている電子メール送受信プログラムを起動させ、所定の書式に基づいて相手先アドレス情報である電子メールを作成し、情報配信サーバ１０３宛に送信する。所定の書式としては、件名、送信元アドレス、送信先アドレスおよび本文内容にそれぞれ予め定められた文字列を入力する。
【００５１】
図５は、アドレス発信処理における発信側携帯電話機１０１から情報配信サーバ１０３宛に送信する電子メールの書式３０の一例を示す図である。書式３０では、件名３１にアドレス発信処理における電子メールであることを示す文字列、たとえば「問い合わせ」を入力し、送信元アドレス３２に発信側携帯電話機１０１の電子メールアドレス、たとえば「hasshin_gawa@xxxxx.ne.jp」を入力し、送信先アドレス３３に情報配信サーバ１０３の電子メールアドレス、たとえば「toiawase@xxxxx.server.ne.jp」を入力し、本文内容３４に着信側携帯電話機１０２の電子メールアドレス、たとえば「abcde@xxxxx.ne.jp」を入力する。
【００５２】
ステップＳ２では、端末制御部１が、電子メール送受信プログラムに基づいて、情報配信サーバ１０３から電子メールを受信する。ここで、受信した電子メールが、アドレス発信処理における情報配信サーバ１０３からの電子メールであるか否かは、受信した電子メールの記載内容から判断することができる。
【００５３】
ステップＳ３では、端末制御部１が、着信側携帯電話機１０２の電話番号を取得できたか否かを判断する。取得できていればステップＳ４に進み、取得できていなければ、その旨を示すメッセージを表示部９に表示するなどしてユーザに報知し、処理を終了する。
【００５４】
図６は、アドレス発信処理における情報配信サーバ１０３から受信する電子メールの書式４０の一例を示す図である。書式４０は、着信側携帯電話機１０２の電話番号取得に成功した場合の書式であり、件名４１に、たとえば「返信」が記載され、送信元アドレス４２に情報配信サーバ１０３の電子メールアドレス、たとえば「toiawase@xxxxx.server.ne.jp」が記載され、送信先アドレス４３に発信側携帯電話機１０１の電子メールアドレス、たとえば「hasshin_gawa@xxxxx.ne.jp」が記載され、本文内容４４に、電話番号の取得が成功したことを示す文字列「success」と、暗号化された着信側携帯電話機１０２の電話番号、たとえば「Abl81Sbwsow23nklwje」が記載されている。なお、着信側携帯電話機１０２の電話番号は個人情報の一つであり、セキュリティ向上のために暗号化して電子メールに記載される。
【００５５】
図７は、アドレス発信処理における情報配信サーバ１０３から受信する電子メールの書式５０の一例を示す図である。書式５０は、着信側携帯電話機１０２の電話番号取得に失敗した場合の書式であり、件名５１に、たとえば「返信」が記載され、送信元アドレス５２に情報配信サーバ１０３の電子メールアドレス、たとえば「toiawase@xxxxx.server.ne.jp」が記載され、送信先アドレス５３に発信側携帯電話機１０１の電子メールアドレス、たとえば「hasshin_gawa@xxxxx.ne.jp」が記載され、本文内容５４に、電話番号の取得が失敗したことを示す文字列「error」が記載されている。
【００５６】
ステップＳ２では、情報配信サーバ１０３から受信した電子メールの件名、送信元アドレス、本文内容の記載に基づいて、受信した電子メールが、アドレス発信処理における情報配信サーバ１０３からの電子メールであるか否かを判断することができる。また、ステップＳ３では、「success」または「error」など本文内容の記載に基づいて、着信側携帯電話機１０２の電話番号を取得できたか否かを判断することができる。
【００５７】
ステップＳ４では、端末制御部１が、暗号解読プログラムを起動し、受信した電子メールの本文内容に記載されている暗号化された電話番号を解読し、数字からなる電話番号を復号化する。
【００５８】
ステップＳ５では、端末制御部１が、電話発信プログラムを起動し、抽出した着信側携帯電話機１０２の電話番号を用いて電話発信を行う。
【００５９】
図８は、情報配信サーバ１０３によるアドレス発信処理を示すフローチャートである。
発信側携帯電話機１０１から、たとえば図５に示した所定の書式３０の電子メールを受信すると処理を開始する。ステップＳ１１では、受信した電子メールの本文内容３４から電子メールアドレスを抽出する。ステップＳ１２では、サーバ制御部２１が認証テーブルを参照し、着信側携帯電話機１０２のユーザが、アドレス発信処理による発信側携帯電話機１０１への電話番号の送信を許可しているか否かを判断する。許可していれば、ステップＳ１３に進み、禁止していればステップＳ１５に進む。
【００６０】
ここで、認証テーブルとは、電子メールアドレスと、電話番号送信の可否とが記載されているテーブルであり、着信側携帯電話機１０２のユーザが所定の設定を行うことで作成され、書き換えられる。たとえば、携帯電話機のメニューなどから設定可能にしておき、着信側携帯電話機１０２のユーザが許可しようとする場合は、電話番号送信の許可を選択し、許可しない場合は、電話番号送信の禁止を選択する。ユーザによるこれらの選択が、認証テーブルに反映される。なお、セキュリティ向上のため、各電子メールアドレスに対する電話番号送信の可否は初期値として禁止が選択された状態としておき、ユーザが設定した場合のみ許可が選択された状態とするのが望ましい。
【００６１】
ステップＳ１３では、サーバ制御部２１が、記憶部２４に記憶されている検索プログラムを起動し、データベース記憶装置１０４に記憶されている関連情報から、抽出した電子メールアドレスに関連付けられた電話番号を取得する。ステップＳ１４では、取得した電話番号を暗号化する。ステップＳ１５では、図６に示したように、受信した電子メールの送信元アドレスに記載されていた電子メールアドレスを送信先アドレスに入力し、電話番号を取得できたことを示す文字列「success」と暗号化した電話番号を本文内容に入力して相手先番号情報である電子メールを送信する。なお、ステップＳ１２において、電話番号送信が禁止されていた場合は、図７に示したように、受信した電子メールの送信元アドレスに記載されていた電子メールアドレスを送信先アドレスに入力し、電話番号が取得できできなかったことを示す文字列「error」を本文内容に入力して電子メールを送信する。
【００６２】
以上のように、発信側携帯電話のユーザは、相手先の電話番号が不明な場合であっても、電子メールアドレスがわかっていれば、用意に相手先の携帯電話機に対して電話発信を行うことができる。
【００６３】
さらに、従来の携帯電話機では、電話発信時に発信先の電話番号を表示するが、本発明では、電話番号が本来不明であるため、セキュリティを向上させるために、図４のステップＳ５の電話発信時に、復号化した着信側携帯電話機の電話番号（数値）を表示部９に表示させないことも可能である。
【００６４】
この電話番号表示の可否についても、電話番号送信の可否と同様に着信側携帯電話機のユーザが設定することが可能で、情報配信サーバ１０４が記憶する認証テーブルに記載される。図８のステップＳ１２において、電話番号送信の可否とともに、電話番号表示の可否についても判断するようにする。対象の電子メールアドレスに関連付けられた電話番号の表示が禁止されている場合は、その旨を図６に示した電子メールの本文内容に追加する。電子メールを受信した発信側携帯電話機１０１は、本文内容の記載から電話番号表示の可否を判断し、電話番号表示が許可されていれば、図９（ａ）の電話発信時の表示例に示すように、電話番号を表示し、電話番号表示が禁止されていれば、図９（ｂ）の表示例に示すように、電話番号を表示できないことをメッセージ表示によってユーザに報知する。
【図面の簡単な説明】
【００６５】
【図１】本発明の実施の一形態である電話発信システム１００の概略図である。
【図２】発信側携帯電話機１０１の構成を示すブロック図である。
【図３】情報配信サーバ１０３の構成を示すブロック図である。
【図４】発信側携帯電話機１０１によるアドレス発信処理を示すフローチャートである。
【図５】アドレス発信処理における発信側携帯電話機１０１から情報配信サーバ１０３宛に送信する電子メールの書式３０の一例を示す図である。
【図６】アドレス発信処理における情報配信サーバ１０３から受信する電子メールの書式４０の一例を示す図である。
【図７】アドレス発信処理における情報配信サーバ１０３から受信する電子メールの書式５０の一例を示す図である。
【図８】情報配信サーバ１０３によるアドレス発信処理を示すフローチャートである。
【図９】電話発信時の表示例を示す図である。
【符号の説明】
【００６６】
１  端末制御部
２  無線制御部
３  アンテナ
４  音声処理制御部
５  プログラムデータ記憶部
６  無線制御データ記憶部
７  ユーザデータ記憶部
８  キー操作部
９  表示部
１０  スピーカ
１１  マイク
２１  サーバ制御部
２２  ＲＯＭ（リードオンリメモリ）
２３  ＲＡＭ（ランダムアクセスメモリ）
２４  記憶部
２５  通信インターフェイス
２６  データベースインターフェイス
１００  電話発信システム
１０１，１０２  携帯電話機
１０３  情報配信サーバ
１０４  データベース記憶装置
【図１】
2005277953.tif 000003
【図２】
2005277953.tif 000004
【図３】
2005277953.tif 000005
【図４】
2005277953.tif 000006
【図５】
2005277953.tif 000007
【図６】
2005277953.tif 000008
【図７】
2005277953.tif 000009
【図８】
2005277953.tif 000010
【図９】
2005277953.tif 000011